(57)【特許請求の範囲】
【請求項１】
本来、人の生活に必要なベッド、風呂、トイレ、洗面器部のそれぞれの機能を一体化する独自の構成手法を用い有効に使用できるシステム構築を行うもので、負担のかかる生活や介護などを容易にし、洗面器部２７と、排水コック１４‘と洗面器部２７の使用後の水を溜めることの出来る使用の排水槽２１と、排水コック１４‘を開くと使用の排水槽２１の水を使用水の便器への排水口２３に流す事が出来る排水管２２と、浴槽３と、浴槽の排水口５と、浴槽に設けられた風呂水の便器への排水口２０と、トイレ便器７と、便器の排水口８とで構成することを特徴とする生活支援装置。
【請求項２】
洗面器部２７で顔を洗ったり出来、タオル、手拭い等の洗いも出来、これらの使用後の水は排水コック１４‘を開いて使用の排水槽２１に溜めて置いたり、直接、トイレ便器７の排水として利用でき、この場合、排水コック１４‘を開くと使用の排水槽２１の水は排水管２２を通って使用水の便器への排水口２３へ行き、風呂では、入浴後、寝床として使用する場合、先ず、幾つかに区切れる浴槽のフタ部６を全て閉じ、その上に幾つかに区切れるマット９を敷き、その上に人が横になり、布団や掛けカバー１０を掛け、使用後は風呂水の便器への排水口２０を開き、便器の排水口８から流し去る事を特徴とする請求項１記載の生活支援装置。 
【発明の詳細な説明】
【発明の詳細な説明】
本発明は、従来のベット、風呂、トイレの機能を効率よく改善し、一体化した生活支援装置に関するものである。
従来使用されている装置は第１図のような構成である。
同図において１は浴槽、２は浴槽の排水口、３は便器、４は便器の排水コック、５は洗面器、６は洗面入水口、６’は排水口、７は洗い場、８はバスルーム仕切、９はルーム出入口、１０はシャワー部、１１はバス入水部である。
以上の構成において通常の使用について、説明する。従来のバスルームにおいてバスルーム出入口９から入り、バス入水部１１で湯または水を出すことが出来る。通常は、浴槽１に必要な量の湯を入れ、水を入れて湯の温度を調節する。必要に応じ便器３を使用し、用が済んだら便器の排水コック４で流す。手洗い、顔洗い、口ゆすぎには洗面器５を使う。洗面入水口６から水や湯を出す。用が済んだら排水口６’から排水する。
脱衣をして風呂に入るときは必要に応じてシャワー部１０でお湯と水を加減して使用する。浴槽１に入って体を温めてら、洗い場７で体、顔、頭など洗い、必要に応じてシャワー部１０を用いる。
全て用が済んだら着衣して別の部屋で床に入って寝る。以上のように従来の器具装置は、ある程度、近くに纏められていても身体の不自由な人、介護されている人などには使用に色々と負担がかかる。
本発明は以上のような欠点を除去すると共に従来にない機能を一体化し、より便利なように改善を行うものである。
本発明では風呂と便器、洗面器などの機能を一体化し、水の使用も効率よく出来る。便器の洗い流しには風呂、洗面器などで使った水を流すことができる。本発明の一実施例を第２図に示す。同図において１は排水槽、２は排水口、３は浴槽、４はキャスター、５は浴槽の排水口、６は浴槽のフタ部、７はトイレ便器、８は便器の排水口、９はマット（寝具）、１０は掛けカバー、１１は枕部、１２は枠フレーム、１３は装置カバー支柱、１３’はシートカバー、１４は湯・水コック（湯・水切り替え可）、１４’は排水コック、１５は風呂の湯・水部（湯・水切り替え可）、１６は浴槽へのコック、１７は浴槽への入水管、１８は浴槽への湯水口、１９はシャワー部、２０は風呂水の便器への排水口、２１は使用の排水槽である。
２２は排水管、２３は使用水の便器への排水口、２５は便座のフタ、２６は浴槽の水、２７は洗面器部である。
以上のような本発明の構成において具体的な使用例を説明する。
浴槽３に水の入ってない状態から考えると先ず、風呂の湯・水部１５（湯・水へ切り替え可）の浴槽への湯水コック１６を湯の方へ切り替えて湯を流す。
湯は浴槽への入水管１７を経て浴槽への湯水口１８から浴槽３へ流れて規定の水量の所で止める。湯温は浴槽への湯水コック１６で湯や水の加減が出来る。入浴する場合は、浴槽のフタ部６、マット９、掛けカバー１０等をわきへ寄せて浴槽３に入って体を温められる。湯加減は入浴のまま、浴槽へのコック１６で自由に出来る。シャンプーで体を洗ったり、流したりはシャワー部１９のシャワーホースを伸ばして行える。
必要に応じて便座のフタ部２５を椅子としても利用できる。トイレ便器７として使用するときは便座のフタ部２５を開ければ直ぐ座れる。
風呂から上がって体など拭き取った後は浴槽のフタ部６を敷く。また、湯水コック１４で水を出して口をゆすいだり、洗面器部２７で顔を洗ったり出来る。タオル、手ぬぐい等の洗いも出来る。これらの使用後の水は排水コック１４’を開いて使用の排水槽２１に溜めて置いたり、直接、トイレ便器７の排水として利用できる。この場合、排水コック１４’を開くと使用の排水槽２１の水は排水管２２を通って使用水の便器への排水口２３へ行く。トイレ使用後の水を流す時は使用水の便器への排水口２３に付けた排水フタ（図示せず）を開くとトイレ便器７の中を流れて汚物と共に便器の排水口８から流される。この排水は排水槽１に溜まって排水口２から下水管へ排出できる。
次に入浴後、寝床として使用する場合、先ず、浴槽のフタ部６（幾つかに区切れる）を全て閉じる。その上にマット（寝具）９を敷く（幾つかに区切れる）。その上に人が横になり、布団や掛けカバー１０を掛ける。必要に応じて枕部１１も使用できる。
本装置は枠フレーム１２で組み立てられている。その上に装置カバー支柱１３を取り付け、周囲をシートカバー１３’で覆う。また、キャスター４を付けると移動などに便利である。
従来はトイレや風呂に行ったり、顔、手を洗ったり、歯磨き、口ゆすぎや寝床など別々になっているので立ったり歩いたりしなければならない。
夜など寒い時でもトイレに行ったり厄介である。特に身体の不自由な方、病気の方、高齢者では大変な負担である。特に入浴の場合、本人は勿論、介護者にとっても大きな負担となっている。
本発明の装置では例えば、夜など目を覚ましてトイレを使用する場合は布団や掛けカバー１０、マット９の一部を取り外して、便座のフタ部２５を開いて、そこへ座っただけで用がたせる。使用後は風呂水の便器への排水口２０を開き、便器の排水口８から流し去る事が出来る。風呂水が入ってない場合は、使用の排水槽２１の水を使用水の便器への排水口２３を開いて流す事も出来る。
以上の説明のように本装置は正常な人が使用することは勿論、身体不自由な方、病気や高齢者の方、介護をする方のために種々の便利な使い方ができる。
【図面の簡単な説明】第１図に従来の装置としてユニットバスのブロック図を示す。第２図が本発明による生活支援装置（カプセルハウス）の実施例を説明するための一例を示すものである。第２図において１は排水槽、２は排水口、３は浴槽、４はキャスター、５は浴槽の排水口、６は浴槽のフタ部、７はトイレ便器、８は便器の排水口、９はマット（寝具）、１０は掛けカバー、１１は枕部、１２は枠フレーム、１３は装置カバー支柱、１３’はシートカバー、１４は湯水コック、１４’は排水コック、１５風呂の湯水部、１６浴槽への湯水コック、１７は浴槽への入水管、１８は浴槽への湯水口、１９はシャワー部、２０は風呂水の便器への排水口、２１は使用の排水槽、２２は排水管、２３は使用水の便器への排水口、２５は便座のフタ部、２６は浴槽の水、２７は洗面器部である。
【図１】
0006683971.tif 000002
【図２】
0006683971.tif 000003